(57)【要約】      （修正有）【課題】本考案では、特殊な部材を用いることなく容易に構成でき、繰り返し使用しても穂先部が拡いた形態に保つことができる茶筅の提供を目的とする。【解決手段】軸方向の一端側に穂先部１２を備えるとともに、他端側に柄部１３を備えた茶筅であって、上記穂先部３２を、筒状体で形成するとともに、軸方向の先端から基端側にかけての複数の切込み線１４を周方向に配設し、撓み変形可能な上記穂先部の筒状内部に中子１５を備え、該中子１５を、上記穂先部３２の筒状内部の径よりも大径に形成した茶筅１１。【選択図】図１
0003135189.tif 000002
【実用新案登録請求の範囲】
【請求項１】
軸方向の一端側に穂先部を備えるとともに、他端側に柄部を備えた茶筅であって、
上記穂先部を、
筒状体で形成するとともに、軸方向の先端から基端側にかけての複数の切込み線を周方向に配設し、
撓み変形可能な上記穂先部の筒状内部に中子を備え、
上記中子を、上記穂先部の筒状内部の径よりも大径に形成した
茶筅。
【請求項２】
上記穂先部の上記筒状内部に、該筒状内部を拡径させた拡径穴部を備えた
請求項１に記載の茶筅。
【請求項３】
上記切込み線の基端部に、該切込み線の拡大を防止する切込み拡大防止手段を備えた
請求項１、又は、請求項２に記載の茶筅。
【請求項４】
上記穂先部、及び、上記柄部を、竹枝部材により形成した
請求項１から請求項３のうちいずれか１項に記載の茶筅。
【請求項５】
上記竹枝部材を、少なくとも１つの節部を備えた節付竹枝部材で形成し、
該節付竹枝部材の上記節部を、上記穂先部の基端部分に形成した
請求項４に記載の茶筅。
【請求項６】
上記中子を、竹枝部材の節部分により形成した
請求項１から請求項５のうちいずれか１項に記載の茶筅。
【請求項７】
少なくとも上記穂先部を収容可能な筒状の鞘を備えた
請求項１から請求項６のうちいずれか１項に記載の茶筅。
【請求項８】
上記柄部と上記中子とを棒状の連結棒により一体に連結し、
上記連結棒を上記穂先部に対して軸方向へスライド可能に枢支した
請求項１から請求項７のうちいずれか１項に記載の茶筅。
【請求項９】
上記柄部、上記連結棒、及び、上記中子の内部に軸方向へ連通する連通孔を形成した
請求項８に記載の茶筅。
【請求項１０】
上記中子の上記連通孔の先端部に、凹凸部を周方向に配設した
請求項９に記載の茶筅。
【請求項１１】
上記連通孔の流体を上記穂先部の先端側から押し出す流体押出し手段を備えた
請求項９、又は、請求項１０に記載の茶筅。
【請求項１２】
上記柄部、又は、上記流体押出し手段に、係止対象部分へ係止可能な竹製の係止部を備えた
請求項１１に記載の茶筅。
【考案の詳細な説明】
【技術分野】
【０００１】
この考案は、粉末状の茶を立てる（攪拌する）ときに用いられる茶筅に関する。
【背景技術】
【０００２】
もともと茶筅は、竹製であったが、最近では、竹以外の例えば、合成樹脂などの材質のものも普及している。しかし、竹製の茶筅は、竹特有の風情、趣を醸し出すことができるため、現在においても、積極的に用いられている。
【０００３】
このような茶筅は、原料となる竹枝を所定間隔ごとに切り出し、該切り出した竹枝部材の先端側から軸方向への切り目を周方向へ複数形成することで穂先部を形成している。
【０００４】
さらに、このような穂先部に熱湯をかける、或いは、火で炙るなどして熱を付与する加工を行うことで、穂先部を、先拡がり状に保形させている。
【０００５】
しかし、このような工程を経て構成した茶筅は、繰り返し使用するに従って、穂先部が徐々に先拡がり状に復元しなくなり、茶を満足に立てることができないという課題を有していた。
【０００６】
このような課題に対して例えば、下記特許文献１には、「攪拌具」が開示されている。  
特許文献１における「攪拌具」は、攪拌部を竹ではなく形状記憶処理を施した形状記憶合金で形成し、使用時に攪拌部が開いた状態になるよう形成している。
【０００７】
しかし、上記「攪拌具」は、形状記憶合金という特殊な材料で形成しているため、汎用性に乏しく高価になりがちであるという課題を有する。さらに、特許文献１における「攪拌具」は、竹製ではないため、作法や礼儀を重んじる伝統的な茶会の雰囲気に馴染み難いといった難点も有する。
【特許文献１】実開昭６３−６３１１９号公報
【考案の開示】
【考案が解決しようとする課題】
【０００８】
そこで本考案では、特殊な部材を用いることなく容易に構成でき、繰り返し使用しても穂先部が拡いた形態に保つことができる茶筅の提供を目的とする。
【課題を解決するための手段】
【０００９】
本考案における茶筅は、軸方向の一端側に穂先部を備えるとともに、他端側に柄部を備えた茶筅であって、上記穂先部を、撓み変形可能な筒状体で形成するとともに、軸方向の先端から基端側にかけての複数の切込み線を周方向に配設し、撓み変形可能な上記穂先部の筒状内部に中子を備え、上記中子を、上記穂先部の筒状内部の径よりも大径に形成したことを特徴とする。
【００１０】
本考案における茶筅は、中子が上記穂先部の筒状内部に当接し、穂先部の基端部分（基端部）を撓み変形（反り変形）させ、穂先部を外側へ広げることができる。さらに、本考案における茶筅は、中子により穂先部が広がった状態に規制するため、繰り返し使用しても穂先部をその状態に保つことができる。
【００１１】
なお、上記中子は、上記穂先部の筒状内部に直接、嵌着したり、接着材で固着したりして取り付けることができる。
【００１２】
この考案の態様として、本考案における茶筅は、上記穂先部の上記筒状内部に、該筒状内部を拡径させた拡径穴部を備えることができる。
【００１３】
上記構成により、中子の外周全体を上記穂先部の上記筒状内部全体に略当接させることができ、穂先部を周方向全体に略均等に広げることができる。
【００１４】
さらに、上記構成により、中子と穂先部との接触部分が広くなるため、中子を、上記穂先部の上記筒状内部により一層、安定して備えることができる。その他にも、上記穂先部は、薄肉になるため、撓み変形させ易くなるといった効果も有する。
【００１５】
また、この考案の態様として、本考案における茶筅は、上記切込み線の基端部分に、該切込み線の拡大を防止する切込み拡大防止手段を備えることができる。
【００１６】
上記構成によれば、繰り返し使用しても上記切込み線がその基端部分から不用に裂けてしまうことを防ぐことができる。
【００１７】
上記切込み拡大防止手段には、例えば、上記切込み線の基端部分に形成した小孔を挙げることができる。さらに、穂先部の軸方向の切込み線の基端部分に巻き付け可能に形成した例えば、ベルト、糸、或いは、テープ、環状部材（リング状の部材）を挙げることもできる。
【００１８】
また、この考案の態様として、上記穂先部、及び、上記柄部は、例えば、合成樹脂や木材などにより形成することができるが、殊に木材の中でも竹枝部材により形成することができる。
【００１９】
さらに、この考案の態様として、本考案における茶筅は、上記竹枝部材を、少なくとも１つの節部を備えた節付竹枝部材で形成し、該節付竹枝部材の上記節部を、上記穂先部の基端部分に形成することができる。
【００２０】
節部は、一般的に上記竹枝部材の軸方向の他の部分よりも強度が高く、このような節部を上記穂先部の基端部分に形成することにより、上記穂先部に切込み線を形成する際に該切込み線を、例えば、柄部に達してしまうまで過度に切り込んでしまうことを防止することができ、さらに、複数の切込み線を、その基端部分の位置を揃えた見栄えのよい状態に容易に形成することができる。
【００２１】
さらに、茶筅は、穂先部の基端部分に節部を備えることにより、竹特有の風情、趣をより一層、引き出すことができる。
【００２２】
竹枝部材の節部は、節部分でない他の部分と比較して径外方向へ突出し、強度も高いため、上記穂先部の筒状内部に備えたとき、穂先部をしっかりと外側へ広げた状態に保つことができる。
【００２３】
さらにまた、この考案の態様として、上記中子は、竹枝部材の節部分により形成することができる。
【００２４】
上記構成により、竹特有の昔ながらの風情を醸し出すことができ、例えば、茶会に用いた際にも、茶会の雰囲気に馴染ませることができる。
【００２５】
本考案における茶筅は、少なくとも上記穂先部を収容可能な筒状の鞘を備えたことを特徴とする。
【００２６】
上記構成によれば、上記穂先部を上記鞘に収容しておけば、不使用時において該穂先部が不測に広がってしまうことを防ぐことができるとともに、該穂先部を保護することができる。
【００２７】
さらに、上記構成によれば、上記穂先部を上記鞘に収容した状態で携帯することができ、携帯時に上記穂先部が汚れてしまうことを防止することができる。
【００２８】
本考案における茶筅は、上記柄部と上記中子とを棒状の連結棒により一体に連結し、上記連結棒を上記穂先部に対して軸方向へスライド可能に枢支したことを特徴とする。
【００２９】
上記構成により、上記中子を穂先部の軸方向の基端側へスライドさせたとき、穂先部が広がった状態となり、逆に上記中子を穂先部の軸方向の先端部側へスライドさせたとき、穂先部を閉じた状態とすることができる。
【００３０】
これにより、不使用時には、穂先部を閉じておくことによりコンパクトな状態にすることができ、邪魔になることがなく、他の物体に穂先部が引っかかり、破損してしまうことを防ぐことができる。
【００３１】
さらに、穂先部をコンパクトな状態にすることで、鞘に収容することが可能となり、これにより穂先部をしっかりと保護することができる。
【００３２】
さらに、上記構成によれば、例えば、形状記憶合金などの特殊な素材、材質を用いることなく、穂先部を先拡がり状に保つことができる。
【００３３】
本考案の茶筅は、上記柄部、上記連結棒、及び、上記中子の内部に軸方向へ連通する連通孔を形成することもできる。
【００３４】
上記構成により、本考案の茶筅を、シャボン玉形成用玩具としても用いることができる。  
具体的には、茶筅の軸方向の穂先部側をシャボン液に浸したすことにより、中子先端にシャボン液を付着させることができる。その状態で、茶筅の軸方向の柄部側に口を付けて連通孔を通じて中子先端側から空気を吹き出すことにより、シャボン液を形成することができる。
【００３５】
勿論、上記茶筅は、本来の茶筅として用いることができるが、それ以外にも、茶を立てる際に、茶の中に茶筅の軸方向の穂先部側を浸した状態で、茶筅の軸方向の柄部側に口を付けて連通孔を通じて中子先端側から空気を吹き出すことにより、その吹き出しの勢いを利用して茶の攪拌を促進させることもできる。
【００３６】
さらに、本考案の茶筅は、上記中子の上記連通孔の先端部に、凹凸部を周方向に配設することが好ましい。
【００３７】
上記構成により、該中子の先端部に多量のシャボン液を付着させることができ、シャボン液を容易に形成することが可能となる。
【００３８】
また、本考案の茶筅は、上記連通孔の流体を上記穂先部の先端側から押し出す流体押出し手段を備えることもできる。
【００３９】
上記構成によれば、本考案の茶筅は、通常の茶筅と同様に茶を立てることが可能であるが、その他にも、例えば、以下のようにして茶を立てることができる。  
まず、穂先部を、茶を立てる前の液体に漬けておく。この状態で流体押出し手段により、穂先部先端側から連通孔の空気を穂先部先端側から吹き出す（押し出す）。この吹き出しの勢いを利用して、茶を立てる前の液体を攪拌させることができる。
【００４０】
さらに、上記構成により、本考案の茶筅は、例えば、水鉄砲として用いることもできる。
【００４１】
具体的には、上記連通孔に注ぎ込んだ水を上記流体押出し手段で押し出すことにより、茶筅の軸方向の穂先部側から水を噴出させることができるため、茶筅としてのみならず、玩具としても用いることができる。
【００４２】
なお、上記流体は、空気などの気体や水などの液体を示す。
【００４３】
さらにまた、本考案の茶筅は、上記柄部、又は、上記流体押出し手段に、係止対象部分へ係止可能な竹製の係止部を備えることもできる。
【００４４】
上記構成により、本考案の茶筅は、該係止部を係止可能な適宜の部材に係止することができるため、不使用時において邪魔になることもなく、また、紛失してしまうおそれもない。
【考案の効果】
【００４５】
本考案の茶筅は、繰り返し使用しても穂先部が拡いた形態に保つことができ、このような形態を特殊な部材を用いることなく容易に構成することができる。
【考案を実施するための最良の形態】
【００４６】
この考案の一実施形態を、以下図面を用いて説明する。  
（第一実施形態）  
第一実施形態における茶筅１１は、図１（ａ），（ｂ）、及び、図２（ａ），（ｂ）に示すように構成している。  
なお、図１（ａ），（ｂ）は、それぞれ第一実施形態における茶筅１１のそれぞれ正面図、底面図を示し、図２（ａ），（ｂ）は、それぞれ第一実施形態における茶筅１１を軸方向に切断した中央縦断面図、図２（ａ）のＡ−Ａ線における拡大断面図を示している。
【００４７】
上記茶筅１１は、１つの節部１１Ａを備え、太さが１０ｍｍ程度の節付竹枝部材Ｂ２であり、該節部１１Ａに対して軸方向の一端側に穂先部１２を備えるとともに、他端側に柄部１３を備えている。
【００４８】
上記茶筅１１は、上記柄部１３と上記穂先部１２とが大よそ１：２の長さ配分に形成し、柄部１３は、人が把持可能な長さで形成している。  
上記茶筅１１は、略円筒状形態であり、その筒状内部は、図２（ａ）に示すように節部１１Ａのみが閉塞されている。
【００４９】
また、上記穂先部１２は、図１（ｂ）、及び、図２（ｂ）に示すように軸方向の先端から基端側にかけて周方向に８等分配する８つの切込み線１４（スリット）を形成し、８本の細板状の穂先１２ａ…の束で形成している。
【００５０】
また、上記穂先部１２の筒状内部の基端側には、上記穂先部１２の先端側から挿入した中子１５を嵌着している。  
上記中子１５は、上記穂先部１２の筒状内部の内径よりも一回り大径に形成している。
【００５１】
このため、上記穂先部１２の筒状内部に中子１５を嵌着したとき、穂先部１２は、図２（ａ）に示すように、径外方向へ反り変形（撓み変形）し、基端部分（基端部）から先端部分（先端部）に進むに連れ、徐々に拡径したコーン状（錐状）となる。  
なお、中子１５は、上記穂先部１２に対して嵌着により固定するのみならず、接着剤やテープなどを用いて固定してもよい。
【００５２】
上記構成の茶筅１１の製造工程について以下、図３から図５を用いて説明する。  
なお、図３から図５は、第一実施形態における茶筅１１の製造工程を説明する説明図である。
【００５３】
まず、図３中の工程［Ｔ―１］（ａ）に示すように、原材となる竹Ｂから一本の竹枝Ｂ１を切り出し、次に、図３中の工程［Ｔ―１］（ｂ）に示すように、該竹枝Ｂ１の軸方向に沿って節部１１Ａを１つ備えるような長さ配分で切断する。この工程により、図３（ｃ）に示すように茶筅１１の構成材料となる節付竹枝部材Ｂ２を切り出すことができる。  
なお、図３［Ｔ―１］（ｂ）中の一点鎖線は、節付竹枝部材Ｂ２を切り出す際の切断線を示している。
【００５４】
上記節付竹枝部材Ｂ２は、図３（ｃ）に示すように、節部１１Ａに対して一端側に柄部１３が構成され、他端側には、穂先部１２へ加工する前の円筒状の穂先原材部１２Ｂが構成される。この段階で、図３中の工程［Ｔ―１］（ｄ）に示すように、上記節付竹枝部材Ｂ２における柄部１３、及び、穂先原材部１２Ｂの各先端部に面取り加工を施しておく。
【００５５】
続く第２工程において、図４中の工程［Ｔ―２］（ａ）に示すように、ドリルＤにより、穂先原材部１２Ｂに元々、存在する細穴ＨＢをドリルＤにより拡径する工程を行う。これにより、穂先原材部１２Ｂの内部には、穂先原材部１２Ｂの先端部から基端側へ達するまで細穴ＨＢを拡径した図４［Ｔ―２］（ｂ）に示すような拡径穴部ＨＬを形成することができる。この拡径穴部ＨＬ（穂先原材部１２Ｂの筒状内部）の内壁部は、滑らかな円周面で形成している。
【００５６】
そして、第３工程において、図５中の工程［Ｔ―３］（ａ），（ｂ）に示すように、穂先原材部１２Ｂにおける周方向を８等配するよう先端部１２Ｆから基端部１２Ｂに達するまで切込み線１４を形成することにより穂先部１２を形成する。
【００５７】
ここで穂先原材部１２Ｂは、軸方向の基端側に節部１１Ａを備えているため、切込み線１４を形成する際、柄部１３に達するまで過度に切り込んでしてしまうこともなく、複数の切込み線１４を略均一の切り込み長さで形成することができる。
【００５８】
一方、中子１５は、図５［Ｔ―４］（ａ）、及び、図１［Ｔ―１］（ａ）中のＸ部分、すなわち、一本の竹枝Ｂ１における上記節付竹枝部材Ｂ２を切り出した部分よりもさらに先端側の節部分Ｂ３を、図５中の工程［Ｔ―４］（ｂ），（ｃ）に示すように切り出した節部分Ｂ３により形成している。
【００５９】
続く第４工程において、上記工程［Ｔ―４］に示すように茶筅１１の拡径穴部ＨＬよりも大径であるが、大径になりすぎない程度の穂先部１２を拡径させるに好適な太さの節部分Ｂ３により中子１５を形成する。  
詳述すると、中子１５は、茶筅１１の該拡径穴部ＨＬの内径（図５［Ｔ―５］中、Ｄ１）が約９ｍｍ程度に対して、最大径（図５［Ｔ―５］中、Ｄ２）が約１０ｍｍ程度の太さの節部分Ｂ３により形成している。
【００６０】
さらに、一本の竹枝Ｂ１から節付竹枝部材Ｂ２と中子１５との双方を取り出すことができるため、原材となる竹枝Ｂ１を有効に利用することができる。
【００６１】
そして図５中の工程［Ｔ―５］に示すように、上記中子１５を穂先部１２の先端部側から拡径穴部ＨＬに挿入し、穂先部１２の基端部分で中子１５を嵌着させる工程を行う。これにより、穂先部１２は、中子１５により物理的に拡径され、図１（ａ），（ｂ）、及び、図２（ａ），（ｂ）に示したような先拡がり状に構成することができる。
【００６２】
上述したように上述した第一実施形態の茶筅１１は、以下のような様々な効果を奏することができる。  
第一実施形態の茶筅１１は、図２（ａ），（ｂ）に示すように、穂先部１２の筒状内部の基端側に中子１５を嵌着することにより、コーン状になるよう物理的に穂先部１２を規制することができる。よって、繰り返し使用しても穂先部１２を、茶が立て易い先拡がり状に保つことができる。
【００６３】
しかも、第一実施形態の茶筅１１は、合成樹脂製や形状記憶合金製でなく茶筅１１の材料として古くから用いられてきた趣のある竹製であるため、伝統的な茶会の雰囲気に違和感なく馴染ませることができる。
【００６４】
さらに、第一実施形態の茶筅１１は、自然界に元々存在する竹を用いて形成した竹製であるため、熱湯の中に挿入しても有害な成分が抽出されるおそれもなく、それどころか、竹の香りを楽しむこともできる。
【００６５】
また、第一実施形態の中子１５は、竹枝Ｂ１の軸方向における他の部分と比較して強度が強く大径である節部分Ｂ３を用いるため、中子１５自体が破損してしまうこともなく、穂先部１２が拡径した状態へとしっかりと規制した状態に保つことがでる。
【００６６】
上述した図４［Ｔ―２］（ａ）に示した工程において穂先原材部１２Ｂに拡径穴部ＨＬを形成することにより、穂先原材部１２Ｂの例えば、厚みが１ｍｍ程度の薄肉とすることができる。  
これにより、図５［Ｔ―３］に示した工程において穂先原材部１２Ｂに切込み線１４を容易に形成することができる。しかも、穂先部１２は、薄肉であるため、図５［Ｔ―５］に示す工程で中子１５を嵌着したとき、穂先部１２を撓み変形（反り変形）させ易くなるといった効果も有する。
【００６７】
さらに、第一実施形態の茶筅１１は、図４［Ｔ―２］に示した工程において穂先原材部１２Ｂに拡径穴部ＨＬを形成しておくことにより、拡径穴部ＨＬの内壁面は滑らかな円周面とすることができる。よって、該拡径穴部ＨＬの基端部分に中子１５を嵌着したとき、図２（ｂ）に示すように、中子１５の外周部全体を拡径穴部ＨＬの内周全体に接触させることができる。  
従って、第一実施形態の茶筅１１は、穂先部１２の周方向全体を、略均等に拡径させることができるとともに、中子１５と穂先部１２とがより広い接触面で接触させることにより中子１５を穂先部１２に対して安定した状態で強固に嵌着させることができる。
【００６８】
以下では、他の実施形態における茶筅２１，３１，４１について説明する。  
但し、以下で説明する茶筅２１，３１，４１の構成のうち、上述した第一実施形態における茶筅１１と同様の構成については、同一の符号を付して、その説明を省略する。さらに、以下で説明する茶筅２１，３１，４１の軸方向における先端側方向をＤＦ方向とし、軸方向における後端側方向をＤＢ方向とする。
【００６９】
（第二実施形態）  
第二実施形態における茶筅２１は、図６（ａ），（ｂ），（ｃ）、及び、図７（ａ），（ｂ），（ｃ）に示すように、軸方向の先端側に穂先部２２を備えた穂先部材２２Ａと、柄部２３を構成する柄部材２３Ａと備えて構成し、それぞれを別部材により形成している。  
なお、図６（ａ），（ｂ），（ｃ）は、それぞれ第二実施形態における茶筅２１の不使用時における正面図、底面図、中央縦断面図である。図７（ａ），（ｂ），（ｃ）は、それぞれ第二実施形態における茶筅２１の使用時における正面図、底面図、中央縦断面図である。
【００７０】
上記穂先部材２２Ａは、図６（ａ），（ｂ）に示すように、その基端部分にのみ１つの節部２１Ａを備えた円筒状の節付竹枝部材により形成している。穂先部材２２Ａは、軸方向の先端側から略中間部にかけての複数の切込み線１４を周方向に配設した穂先部２２を備えている。
【００７１】
さらに、図６（ｃ）に示すように、穂先部材２２Ａの内部には、中子２５を備えている。中子２５と柄部材２３Ａとは、連結棒２６により連結し、これら中子２５、柄部材２３Ａ、及び、連結棒２６は、穂先部材２２Ａに対して軸方向へスライド自在に一体に形成している。
【００７２】
具体的には、上記中子２５は、連結棒２６の軸方向の先端部に鍔状に嵌着し、上記柄部材２３Ａは、その筒状内部２３Ｈに連結棒２６の軸方向の後端側を挿嵌している。  
さらに連結棒２６は、穂先部材２２Ａに対して軸方向にスライド自在に該穂先部材２２Ａの基端側の節部分２１Ａの筒状内部に枢支されている。
【００７３】
上記構成を採る第二実施形態における茶筅２１は、以下のように用いることができる。  
まず、使用時においては、使用者は、一方の手で穂先部材２２Ａの基端側を把持した状態で、他方の手で柄部材２３Ａを軸方向の後方側（図６中ＤＢ方向）へ引っ張る。これにより、図７（ａ），（ｃ）に示すように、柄部２３が穂先部材２２Ａに対して後方側へ突き出し、該柄部材２３Ａと一体に穂先部材２２Ａの内部において中子２５も後方へスライドする。
【００７４】
よって、中子２５が穂先部２２Ａの基端側に達したとき、該中子２５により基端側は、拡径するよう規制されるため、図７に示すように穂先部２２Ａは、先拡がり状態となる。使用者は、この状態で第二実施形態における茶筅２１を用いることができる。
【００７５】
不使用時においては、使用者は、柄部材２３Ａを軸方向の穂先部材２２Ａの側（図６中ＤＦ方向）へスライドさせることにより、連結棒２６を穂先部材２２Ａの筒状内部へと収容させることができる。それと同時に中子２５は、穂先部２２の基端側から先端側へとスライドし、穂先部２２を先拡がり状態に拡径していた規制を解除することができる。  
よって第二実施形態における茶筅２１は、穂先部１２が半径方向に収束した形態とすることができるとともに軸方向の長さもコンパクトな形態とすることができる、元の図６（ａ），（ｂ），（ｃ）に示した形態へ変更することができる。  
従って、茶筅２１は、不使用時において容易に持ち運ぶことができる。
【００７６】
また、第二実施形態における茶筅２１には、図８（ａ），（ｂ）に示すように穂先部１２を収容する鞘２７を備えることもできる。  
なお、図８（ａ），（ｂ）は、それぞれ鞘２７を備えた第二実施形態における茶筅２１の正面図、中央縦断面図を示している。
【００７７】
上記鞘２７は、上記穂先部２２を収容可能な円筒状であるが、軸方向の一端部が節部２７Ａに相当するため、筒状内部の軸方向の一端側が閉塞した有底円筒状の節付竹枝部材により形成している。  
第二実施形態における茶筅２１が図６に示すようなコンパクトな形態のとき、穂先部１２を図８（ａ），（ｂ）に示したように、上記鞘２７に収容することができる。
【００７８】
これにより、細板状の複数の穂先からなる穂先部２２を保護することができる。このため、持ち運びの際に穂先部２２が破損してしまうことを防ぐことができるとともに、穂先部２２が汚れてしまうこともなく、使用時には、鞘２７から取り出してすぐに使用することができる。さらに、穂先部２２が拡径したり、中子２５が不測にスライドしたりすることを阻止できるため、茶筅２１自体をコンパクトな形態に留めておくことができる。
【００７９】
（第三実施形態）  
第三実施形態における茶筅３１は、適宜、竹枝部材を用いて図９（ａ），（ｂ），（ｃ）に示すように構成している。  
すなわち、第三実施形態における茶筅３１は、大別すると図１０（ａ），（ｂ），（ｃ）に示すように穂先部材８１、筒状部材８２、及び、押出しロッド部材８３から構成している。  
なお、図９（ａ），（ｂ），（ｃ）は、それぞれ第三実施形態における茶筅３１の正面図、底面図、中央縦端面図である。図１０（ａ），（ｂ），（ｃ）は、それぞれ第三実施形態における茶筅３１の各構成部材を片側断面図により示している。
【００８０】
上記穂先部材８１は、図１０（ａ）に示すように、先端側から軸方向へ複数の切込み線１４を周方向に配設した穂先部３２を備えている。穂先部材８１は、その軸方向の基端側の外周部に竹製バンド３９を装着している。このような竹製バンド３９を装着することにより、切込み線１４の基端部分がそれ以上裂けてしまわないように補強することができる。
【００８１】
筒状部材８２は、図１０（ｂ）に示すように、中子３５と柄部材３３Ａとを筒状連結部材３４で連結することにより一体に形成している。  
具体的には、中子３５は、筒状連結部材３４の軸方向の一端側に外嵌している。柄部材３３Ａは、外周部に柄部３３を構成した円筒状であり、該柄部材３３Ａの筒状内部に筒状連結部材３４の軸方向の他端側を嵌着している。これにより、筒状部材８２は、内部に軸方向へ連通する連通孔３０Ｈを構成している。
【００８２】
また、上記押出しロッド部材８３は、上記筒状部材８２の連通孔３０Ｈに挿通可能な細い棒状のロッド部３６を備え、該ロッド部３６の軸方向における先端部には、ゴム、或いは、合成樹脂などの円環状部材５２を適宜、外装してロッド先端部３６ａを構成している。これに対して上記押出しロッド部材８３の軸方向の後方側には、上記押出しロッド部３６よりも太径の節付竹枝部材を嵌挿することにより、人が把持可能な第二の柄部（以下、「第二柄部３７」という）を形成している。
【００８３】
さらに上記第二柄部３７に備えた係止部３８は、第二柄部３７を構成する節付竹枝部材の節部分から該節付竹枝部材と略平行に伸びた細い竹枝部分で構成している。すなわち、係止部３８は、第二柄部３７の外周部とで係止対象部材を挟み込むことにより係止可能に形成している。
【００８４】
上記押出しロッド部材８３は、図９（ａ）に示すように筒状部材８２の連通孔３０Ｈにおいて軸方向へスライド自在に枢支している。一方、筒状部材８２は、上記穂先部材８１の基端部分に筒状連結部材３４をスライド自在に枢支している。
【００８５】
上述した第三実施形態における茶筅３１は、図９（ａ），（ｂ），（ｃ）に示した形態から図１１（ａ），（ｂ），（ｃ）に示した形態へと変更させることができる。  
図１１（ａ），（ｂ），（ｃ）は、それぞれ使用時における第三実施形態における茶筅３１の正面図、中央縦端面図、底面図である。
【００８６】
具体的には、使用者は、一方の手で柄部３３を把持するとともに、他方の手で穂先部材８１の基端側を把持する。この状態で、該穂先部３２を軸方向の先端側（図９中、ＤＢ方向）へ引っ張る。これにより、図１１（ｂ）に示すように穂先部３２の基端部分の内側に中子３５が位置することになるため、該中子３５により穂先部３２を先拡がり状態に規制することができる。  
よって、使用者は、図１１（ａ），（ｂ），（ｃ）に示すような形態の茶筅３１を用いて茶を立てることができきる。
【００８７】
続いて、上述とは異なる形態、方法により、第三実施形態における茶筅３１を用いて茶を立てる手順について説明する。  
まず、使用者は、穂先部材８１を軸方向の後端側（図９中、ＤＢ方向）へとスライドさせ、図１１の形態からもとの図９の形態に戻しておく。使用者は、一方の手で柄部３３を把持し、他方の手で第二柄部３７を把持する。この状態で第二柄部３７を筒状部材８２に対して軸方向の後端側（図１０中、ＤＦ方向）へ引っ張ることにより押出しロッド部材８３を軸方向の後方側へスライドさせ、図１２（ａ），（ｂ），（ｃ）に示すような形態へ変更することができる。  
なお、図１２（ａ），（ｂ），（ｃ）は、それぞれ他の実施例における第三実施形態における茶筅３１の正面図、中央縦端面図、底面図である。
【００８８】
そして、押出しロッド部材８３を再度、軸方向の先端側（図１２中、ＤＦ方向）へスライドさせることにより、茶筅３１は、連通孔３０Ｈの空気Ａを先端側から吹き出すことができる。
【００８９】
従って、使用者は、上述したような押出しロッド部材８３を用いた空気Ａの吹き出し操作を、穂先部３２を茶の中に浸した状態で行うことにより、連通孔３０Ｈから吹き出した空気Ａの勢いを利用して茶を攪拌させることがでる。
【００９０】
勿論、第三実施形態における茶筅３１は、空気Ａに限らず液体を噴出する液体噴出手段として用いることができる。
【００９１】
具体的には、第三実施形態における茶筅３１を玩具の１つである水鉄砲として用いる場合は、該茶筅３１を水の中に差し込んだ状態で押出しロッド部材３６を軸方向の後端側（図１２中、ＤＢ方向）へスライドさせることにより、連通孔３０Ｈに水を充填させることができる。これにより、再度、押出しロッド部材３６を軸方向の先端側へスライドさせることで、図１３に示すように連通孔３０Ｈに充填させた水を穂先部３２の先端から噴射させることができる。
【００９２】
（第四実施形態）  
第四実施形態における茶筅４１は、図１４（ａ），（ｂ），（ｃ）に示すように構成し、以下で説明する以外の構成については、上述した第二実施形態における茶筅２１と同様の構成で構成している。  
なお、図１４（ａ），（ｂ），（ｃ）は、それぞれ第四実施形態における茶筅４１の不使用時における中央縦端面図、使用時における片側端面図、図１４（ｂ）に示した茶筅４１の底面図を示している。
【００９３】
具体的には、連結棒４４は、柄部４３と中子４５とを連結して一体に形成し、連結棒４４の内部を軸方向へ連通する連通孔４４Ｈを備えた細管状の竹枝部材により形成している。
【００９４】
さらに、上記中子４５は、上記連結棒４４の軸方向の先端外周部に取り付けられている。中子４５の先端部は、図１４（ｂ），（ｃ）に示すように竹枝を細かく切断した複数の小片状竹枝部材４５ａを周方向へ配設することにより凹凸状に形成している。
【００９５】
また、柄部４３には、係止対象部へ係止可能とする環状係止部４６（リング状係止部４６）を備えている。上記環状係止部４６は、紐状の竹を撚って円環状に形成し、柄部４３に固着した小さな円筒状竹枝部材４６ａに係止することにより柄部４３に取り付けている。
【００９６】
第四実施形態における茶筅４１は、上述した第二実施形態における茶筅４１と同様に上記穂先部材４２Ａを連結棒４４に対して軸方向の先端側（図１４中、ＤＦ方向）へスライドさせることにより、穂先部４２の基端部分の内側に中子４５が位置することになる。これにより、図１４（ｂ），（ｃ）に示すように、該中子４５により穂先部４２を先拡がり状態に保形することができ、第四実施形態における茶筅４１を用いて茶を立てることができる。
【００９７】
その他にも第四実施形態の茶筅４１は、シャボン玉形成用玩具として用いることができる。以下、第四実施形態の茶筅４１をシャボン玉形成用玩具として用いる実施例について説明する。  
使用者は、第四実施形態の茶筅４１の穂先部４２をシャボン液に漬け、柄部４３の軸方向の後端部に口を着けて吹くことにより、図１５に示すように中子４５の先端部からシャボン玉を吹き出すことができる。
【００９８】
殊に、第四実施形態の茶筅４１は、上述したようにシャボン玉の吹き口となる中子４５の先端部を凹凸状に形成しているため、該中子４５先端部に多量のシャボン液を付着させることができ、シャボン液によるシャボン膜を確実に形成することができる。  
よって、使用者は、第四実施形態の茶筅４１を、多くのシャボン玉を形成することのできるシャボン玉形成用玩具として用いることができる。
【００９９】
その他にも、使用者は、第四実施形態の茶筅４１を、軸方向の穂先部４２側を茶の中に浸した状態で、柄部４３側に口を付けて空気を吹き出して茶の攪拌を促進させたり、吸い込んで茶を飲んだりすることのできるストローとしても用いることができる。
【０１００】
本考案における茶筅は、上述した実施形態における茶筅１１，２１，３１，４１ように様々な実施形態により形成することができるが、その他にも様々な実施形態で形成することができる。  
例えば、穂先部３２に形成した切込み線１４が柄部１３側へ裂けないよう、図９に示した第三実施形態の茶筅３１において穂先部材８１の基端部分に該切込み線１４の拡大を防止する切込み拡大防止手段として竹製のバンド３９を装着したが、切込み拡大防止手段は、この構成に限らない。
【０１０１】
例えば、茶筅は、穂先部５１における切込み線１４の基端部分に、図１６に示すように小孔１４ａを形成した構成であってもよい。
【０１０２】
上記構成によれば、別部材を用いることなく切込み線１４の基端部分に小孔１４ａを形成するだけで容易に切込み線１４の拡大を防止することができる。
【０１０３】
さらにまた、少なくとも穂先部を収容する鞘は、第二実施形態の茶筅２１に備えるに限らず、その他の実施形態の茶筅１１，３１，４１に備えてもよい。
【０１０４】
また、上述した実施形態と、この発明の構成との対応において、この実施形態の筒状連結部３４は、この考案の連結棒に対応し、以下同様に、
竹製バンド３９、又は、小孔１４ａは、切込み拡大防止手段に対応し、
押出しロッド部材８３、及び、第二柄部３７は、上記流体押出し手段に対応し、
係止部３８、又は、環状係止部４６は、係止部に対応するものとする。
【図面の簡単な説明】
【０１０５】
【図１】第一実施形態における茶筅の構成説明図。
【図２】第一実施形態における茶筅の構成説明図。
【図３】第一実施形態における茶筅の製造工程を説明する説明図。
【図４】第一実施形態における茶筅の製造工程を説明する説明図。
【図５】第一実施形態における茶筅の製造工程を説明する説明図。
【図６】第二実施形態における茶筅の構成説明図。
【図７】第二実施形態における茶筅の構成説明図。
【図８】鞘を備えた第二実施形態における茶筅の構成説明図。
【図９】第三実施形態における茶筅の構成説明図。
【図１０】第三実施形態における茶筅の構成説明図。
【図１１】第三実施形態における茶筅の構成説明図。
【図１２】第三実施形態における茶筅の構成説明図。
【図１３】第三実施形態における茶筅の作用説明図。
【図１４】第四実施形態における茶筅の構成説明図。
【図１５】第四実施形態における茶筅の作用説明図。
【図１６】他の実施形態における茶筅の構成説明図。
【符号の説明】
【０１０６】
１１，２１，３１，４１…茶筅
１１Ａ…穂先部の節部
１２，２２，３２，４２…穂先部
１３，２３，３３，４３…柄部
１４…切込み線
１４ａ…小孔
１５，２５，３５，４５…中子
２６，４４…連結棒
３４…筒状連結部材
３６…押出しロッド部材
３７…第二柄部
３８…係止部
４６…環状係止部
３９…竹製バンド
２７…鞘
３０Ｈ…連通孔
ＨＬ…拡径穴部
【図１】
0003135189.tif 000003
【図２】
0003135189.tif 000004
【図３】
0003135189.tif 000005
【図４】
0003135189.tif 000006
【図５】
0003135189.tif 000007
【図６】
0003135189.tif 000008
【図７】
0003135189.tif 000009
【図８】
0003135189.tif 000010
【図９】
0003135189.tif 000011
【図１０】
0003135189.tif 000012
【図１１】
0003135189.tif 000013
【図１２】
0003135189.tif 000014
【図１３】
0003135189.tif 000015
【図１４】
0003135189.tif 000016
【図１５】
0003135189.tif 000017
【図１６】
0003135189.tif 000018